(57)【特許請求の範囲】
【請求項１】
低層の複数の階床に対して低層用の複数台のエレベータを就役させ、低層用のホール呼びに対して適切なエレベータ号機を決定して応答させる低層用群管理制御手段と、
高層の複数の階床に対して高層用の複数台のエレベータを就役させ、高層用のホール呼びに対して適切なエレベータ号機を決定して応答させる高層用群管理制御手段と、
前記低層用群管理制御手段と前記高層用群管理制御手段とに接続され、前記低層用群管理制御手段と前記高層用群管理制御手段との間で相互に信号伝送を行う伝送装置と、
乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、
前記乗継ぎ要求操作手段による乗継ぎ要求元のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、
前記乗継ぎ要求元のエレベータ号機の前記乗継ぎ階までの到着時間を予測し、かつ前記乗継ぎ制御手段の決定した前記乗継ぎ先側のエレベータ号機の当該乗継ぎ階での待機時間を予測し、当該予測待機時間が所定時間以上であり、かつ他の階の呼び登録がある場合、当該乗継ぎ先側のエレベータ号機の決定をキャンセルする乗継ぎ先エレベータ調整手段とを備えて成るエレベータの群管理制御装置。
【請求項２】
低層の複数の階床に対して低層用の複数台のエレベータを就役させ、低層用のホール呼びに対して適切なエレベータ号機を決定して応答させる低層用群管理制御手段と、
高層の複数の階床に対して高層用の複数台のエレベータを就役させ、高層用のホール呼びに対して適切なエレベータ号機を決定して応答させる高層用群管理制御手段と、
前記低層用群管理制御手段と前記高層用群管理制御手段とに接続され、前記低層用群管理制御手段と前記高層用群管理制御手段との間で相互に信号伝送を行う伝送装置と、
乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、
前記乗継ぎ要求操作手段による乗継ぎ要求元のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、
前記乗継ぎ制御手段の決定した前記乗継ぎ先側のエレベータ号機の前記乗継ぎ階での待機時間を計測し、当該待機時間が所定時間以上になり、かつ他の階の呼び登録がある場合、当該乗継ぎ先側のエレベータ号機の決定をキャンセルする乗継ぎ先エレベータ調整手段とを備えて成るエレベータの群管理制御装置。
【請求項３】
低層の複数の階床に対して低層用の複数台のエレベータを就役させ、低層用のホール呼びに対して適切なエレベータ号機を決定して応答させる低層用群管理制御手段と、
高層の複数の階床に対して高層用の複数台のエレベータを就役させ、高層用のホール呼びに対して適切なエレベータ号機を決定して応答させる高層用群管理制御手段と、
前記低層用群管理制御手段と前記高層用群管理制御手段とに接続され、前記低層用群管理制御手段と前記高層用群管理制御手段との間で相互に信号伝送を行う伝送装置と、
乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、
前記乗継ぎ要求操作手段による乗継ぎ要求元の１のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、
前記乗継ぎ要求元の１のエレベータ号機の前記乗継ぎ階への到着後、乗継ぎ要求元となる他のエレベータ号機が当該乗継ぎ階に到着するまでに必要となる待機時間を予測し、当該予測待機時間が所定時間以下である場合、前記乗継ぎ先側のエレベータ号機を当該乗継ぎ要求元となる他のエレベータ号機の到着まで待機させる乗継ぎ先エレベータ調整手段とを備えて成るエレベータの群管理制御装置。
【請求項４】
低層の複数の階床に対して低層用の複数台のエレベータを就役させ、低層用のホール呼びに対して適切なエレベータ号機を決定して応答させる低層用群管理制御手段と、
高層の複数の階床に対して高層用の複数台のエレベータを就役させ、高層用のホール呼びに対して適切なエレベータ号機を決定して応答させる高層用群管理制御手段と、
前記低層用群管理制御手段と前記高層用群管理制御手段とに接続され、前記低層用群管理制御手段と前記高層用群管理制御手段との間で相互に信号伝送を行う伝送装置と、
乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、
前記乗継ぎ要求操作手段による乗継ぎ要求元の１のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、
前記低層用、高層用それぞれのエレベータの乗車状態を検出する乗車状態検出手段と、
前記乗継ぎ要求元の１のエレベータ号機の前記乗継ぎ階への到着後、乗継ぎ要求元となる他のエレベータ号機が当該乗継ぎ階に到着するまでに必要となる待機時間を予測し、当該予測待機時間が所定時間以下である場合、前記乗継ぎ先側のエレベータ号機を当該乗継ぎ要求元となる他のエレベータ号機の到着まで待機させる乗継ぎ先エレベータ調整手段と、
前記他のエレベータ号機の前記乗継ぎ階への到着前に前記乗車状態検出手段の検出した当該乗継ぎ要求元となる他のエレベータ号機の乗車状態と待機中の前記乗継ぎ先側のエレベータ号機の乗車状態とを比較し、当該乗継ぎ要求元となる他のエレベータ号機の乗客の積残しが発生すると予測される場合、前記乗継ぎ制御手段に乗継ぎ先側のエレベータ号機の追加割当てを指示する追加割当て要否判定手段とを備えて成るエレベータの群管理制御装置。
【発明の詳細な説明】
【０００１】
【発明の属する技術分野】
本発明は、低層用、高層用に分けてそれぞれの階層でエレベータの群管理制御を行うエレベータの群管理制御装置に関する。
【０００２】
【従来の技術】
近年、ビルの高層化に伴い、低層階（例えば、エントランスホールのある基準階（通常１階）から２０階）と高層階（例えば、２０階から４０階）とに分けて、それぞれに複数台のエレベータを就役させ、低層用エレベータは基準階から乗継ぎ階である２０階までの間でサービスを行い、高層用エレベータは基準階と乗継ぎ階、そして乗継ぎ階から上層の階床にしか停止させないようにしている。そして、サービス階床のいずれかにホール呼びが発生すれば複数台のエレベータから、それらのサービス状況を考慮し、応答するのに最適なエレベータ号機を選択して応答させる群管理制御を高層用、低層用それぞれのエレベータに対して行っている。
【０００３】
さらに、低層階に属する階床から高層階に属する階床まで移動しようする利用者は低層用エレベータで乗継ぎ階まで来て、乗継ぎ階で高層用エレベータに乗継いで目的階まで移動することになるが、この乗継ぎ階で乗継ぐ際の待ち時間を減らすことを目的とした乗継ぎ要求ボタンを各エレベータ号機のかご内かエレベータホールの少なくとも一方に設置し、低層用エレベータの乗継ぎ要求ボタンが押されると高層用群管理エレベータの最適な１台を、また高層用エレベータの乗継ぎ要求ボタンが押されると低層用群管理エレベータの最適な１台を選択して乗継ぎ階で待機するように割当てる乗継ぎ制御を行う技術が特開平６−２６３３９号公報に開示されている。
【０００４】
【発明が解決しようとする課題】
ところが、従来の乗継ぎ制御機能を備えたエレベータの群管理制御装置では、次のような問題点があった。すなわち、乗継ぎ制御のために乗継ぎ階での待機を指示された乗継ぎ先側のエレベータ号機の余裕定員数よりも、乗継ぎ要求元のエレベータ号機からの乗継ぎ利用客数の方が多い場合、乗継ぎ客が全員乗継ぎ先側のエレベータ号機に乗継ぎすることができずに積残しが発生し、このような場合には乗継ぎ階で再びホール呼びを行って次のエレベータの到着を待たなければならなくなり、不便をかける問題点があった。
【０００５】
また逆に、乗継ぎ先として割当てられたエレベータ号機が乗継ぎ階に早くに到着し、乗継ぎ要求元のエレベータ号機の到着が遅れたような場合、乗継ぎ先側のエレベータ号機のかご内の利用者や他の階でホール呼びして待っている利用者に長待ちさせることになり、いらだたせることがある問題点があった。
【０００６】
また、複数台のエレベータ号機から乗継ぎ要求が発生している場合、先に乗継ぎ階に到着した乗継ぎ要求元のエレベータ号機からの乗継ぎ客が乗継ぎ先側のエレベータ号機に乗込み、戸閉して発車した直後にもう１台の乗継ぎ要求元のエレベータ号機が乗継ぎ階に到着した場合にも、後から到着した乗継ぎ要求元のエレベータ号機からの乗継ぎ客は乗継ぎ階で再びホール呼びを行って次のエレベータの到着を待たなければならず、不信感を抱くことがある問題点もあった。
【０００７】
本発明はこのような従来の問題点に鑑みてなされたもので、乗継ぎ階で円滑な乗継ぎを可能とし、また乗継ぎ要求元のエレベータ号機の利用者にも乗継ぎ先側の割当てを受けたエレベータ号機の利用者にも乗継ぎ階で長待ちさせる不便をかけることがないエレベータの群管理制御装置を提供することを目的とする。
【００１４】
【課題を解決するための手段】
請求項１の発明のエレベータの群管理制御装置は、低層の複数の階床に対して低層用の複数台のエレベータを就役させ、低層用のホール呼びに対して適切なエレベータ号機を決定して応答させる低層用群管理制御手段と、高層の複数の階床に対して高層用の複数台のエレベータを就役させ、高層用のホール呼びに対して適切なエレベータ号機を決定して応答させる高層用群管理制御手段と、前記低層用群管理制御手段と前記高層用群管理制御手段とに接続され、前記低層用群管理制御手段と前記高層用群管理制御手段との間で相互に信号伝送を行う伝送装置と、乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、前記乗継ぎ要求操作手段による乗継ぎ要求元のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、前記乗継ぎ要求元のエレベータ号機の前記乗継ぎ階までの到着時間を予測し、かつ前記乗継ぎ制御手段の決定した前記乗継ぎ先側のエレベータ号機の当該乗継ぎ階での待機時間を予測し、当該予測待機時間が所定時間以上であり、かつ他の階の呼び登録がある場合、当該乗継ぎ先側のエレベータ号機の決定をキャンセルする乗継ぎ先エレベータ調整手段とを備えたものである。
【００１５】
請求項１の発明のエレベータの群管理制御装置では、乗継ぎ要求操作手段による乗継ぎ要求元のエレベータ号機に対して、乗継ぎ制御手段が乗継ぎ階で待機させるのに適切な乗継ぎ先側のエレベータ号機として当該乗継ぎ階に最先に到着するエレベータ号機を決定して待機するように割当てるが、乗継ぎ要求元のエレベータ号機の乗継ぎ階までの到着時間を予測し、また乗継ぎ先側として決定されたエレベータ号機の乗継ぎ階での待機時間も予測し、当該予測待機時間が所定時間以上であり、かつ他の階の呼び登録がある場合、乗継ぎ先エレベータ調整手段が乗継ぎ制御手段に対して当該乗継ぎ先側のエレベータ号機の決定をキャンセルさせ、別のエレベータ号機を乗継ぎ先側のエレベータ号機として改めに割当てさせる。
【００１６】
これによって、最初に割当てられた乗継ぎ先側のエレベータが乗継ぎ階で長待ちして他の階でホール呼びして待っている利用者やかご内に既に乗っている乗客をイライラさせる事態が発生するのを未然に防止し、サービスの向上を図る。
【００１７】
請求項２の発明のエレベータの群管理制御装置は、低層の複数の階床に対して低層用の複数台のエレベータを就役させ、低層用のホール呼びに対して適切なエレベータ号機を決定して応答させる低層用群管理制御手段と、高層の複数の階床に対して高層用の複数台のエレベータを就役させ、高層用のホール呼びに対して適切なエレベータ号機を決定して応答させる高層用群管理制御手段と、前記低層用群管理制御手段と前記高層用群管理制御手段とに接続され、前記低層用群管理制御手段と前記高層用群管理制御手段との間で相互に信号伝送を行う伝送装置と、乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、前記乗継ぎ要求操作手段による乗継ぎ要求元のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、前記乗継ぎ制御手段の決定した前記乗継ぎ先側のエレベータ号機の前記乗継ぎ階での待機時間を計測し、当該待機時間が所定時間以上になり、かつ他の階の呼び登録がある場合、当該乗継ぎ先側のエレベータ号機の決定をキャンセルする乗継ぎ先エレベータ調整手段とを備えたものである。
【００１８】
請求項２の発明のエレベータの群管理制御装置では、乗継ぎ要求操作手段による乗継ぎ要求元のエレベータ号機に対して、乗継ぎ制御手段が乗継ぎ階で待機させるのに適切な乗継ぎ先側のエレベータ号機として当該乗継ぎ階に最先に到着するエレベータ号機を決定して待機するように割当てるが、乗継ぎ先側のエレベータ号機の乗継ぎ階での実際の待機時間を計測し、それが所定時間以上経過しても乗継ぎ要求元のエレベータ号機が乗継ぎ階に到着せず、かつ他の階の呼び登録がある場合、乗継ぎ先エレベータ調整手段が乗継ぎ制御手段に対して当該乗継ぎ先側のエレベータ号機の決定をキャンセルさせ、別のエレベータ号機を乗継ぎ先側のエレベータ号機として改めに割当てさせる。
【００１９】
これによって、最初に割当てられた乗継ぎ先側のエレベータが乗継ぎ階で長待ちして他の階でホール呼びして待っている利用者やかご内に既に乗っている乗客をイライラさせる事態が発生するのを防止し、サービスの向上を図る。
【００２０】
請求項３の発明のエレベータの群管理制御装置は、低層の複数の階床に対して低層用の複数台のエレベータを就役させ、低層用のホール呼びに対して適切なエレベータ号機を決定して応答させる低層用群管理制御手段と、高層の複数の階床に対して高層用の複数台のエレベータを就役させ、高層用のホール呼びに対して適切なエレベータ号機を決定して応答させる高層用群管理制御手段と、前記低層用群管理制御手段と前記高層用群管理制御手段とに接続され、前記低層用群管理制御手段と前記高層用群管理制御手段との間で相互に信号伝送を行う伝送装置と、乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、前記乗継ぎ要求操作手段による乗継ぎ要求元の１のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、前記乗継ぎ要求元の１のエレベータ号機の前記乗継ぎ階への到着後、乗継ぎ要求元となる他のエレベータ号機が当該乗継ぎ階に到着するまでに必要となる待機時間を予測し、当該予測待機時間が所定時間以下である場合、前記乗継ぎ先側のエレベータ号機を当該乗継ぎ要求元となる他のエレベータ号機の到着まで待機させる乗継ぎ先エレベータ調整手段とを備えたものである。
【００２１】
請求項３の発明のエレベータの群管理制御装置では、乗継ぎ要求操作手段による乗継ぎ要求元のエレベータ号機が複数台ある場合、乗継ぎ制御手段が乗継ぎ要求元の１のエレベータ号機に対して適切な乗継ぎ先側のエレベータ号機として当該乗継ぎ階に最先に到着するエレベータ号機を決定して乗継ぎ階で待機するように割当てるが、乗継ぎ要求元の１のエレベータ号機の乗継ぎ階への到着後、乗継ぎ要求元となる他のエレベータ号機が当該乗継ぎ階に到着するまでに必要とされる待機時間を予測し、当該予測待機時間が所定時間以下である場合、乗継ぎ先エレベータ調整手段が乗継ぎ先側のエレベータ号機を乗継ぎ要求元となる他のエレベータ号機の到着まで待機させる。
【００２２】
これによって、乗継ぎ要求元となるエレベータの複数台が短い時間のうちに乗継ぎ階に続けて到着する場合に、後から到着した乗継ぎ要求元のエレベータから降りた乗継ぎ客が乗継ぎしようとしたときに、先に到着した乗継ぎ要求元のエレベータの乗継ぎ客の乗継ぎ完了で乗継ぎ先側のエレベータが戸閉して発車してしまう事態が発生するのを防止し、サービスの向上を図る。
【００２３】
請求項４の発明のエレベータの群管理制御装置は、低層の複数の階床に対して低層用の複数台のエレベータを就役させ、低層用のホール呼びに対して適切なエレベータ号機を決定して応答させる低層用群管理制御手段と、高層の複数の階床に対して高層用の複数台のエレベータを就役させ、高層用のホール呼びに対して適切なエレベータ号機を決定して応答させる高層用群管理制御手段と、前記低層用群管理制御手段と前記高層用群管理制御手段とに接続され、前記低層用群管理制御手段と前記高層用群管理制御手段との間で相互に信号伝送を行う伝送装置と、乗継ぎ階で前記伝送装置を通じて高層用のエレベータから低層用のエレベータへの乗継ぎ又は低層用のエレベータから高層用のエレベータへの乗継ぎを知らせるために、各エレベータ又は各エレベータホールの少なくとも一方に設けられた乗継ぎ要求操作手段と、前記乗継ぎ要求操作手段による乗継ぎ要求元の１のエレベータ号機に対して、前記乗継ぎ階で待機させるのに適切な乗継ぎ先側のエレベータ号機として当該乗継ぎ階に最先に到着するエレベータ号機を決定して待機させる乗継ぎ制御手段と、前記低層用、高層用それぞれのエレベータの乗車状態を検出する乗車状態検出手段と、前記乗継ぎ要求元の１のエレベータ号機の前記乗継ぎ階への到着後、乗継ぎ要求元となる他のエレベータ号機が当該乗継ぎ階に到着するまでに必要となる待機時間を予測し、当該予測待機時間が所定時間以下である場合、前記乗継ぎ先側のエレベータ号機を当該乗継ぎ要求元となる他のエレベータ号機の到着まで待機させる乗継ぎ先エレベータ調整手段と、前記他のエレベータ号機の前記乗継ぎ階への到着前に前記乗車状態検出手段の検出した当該乗継ぎ要求元となる他のエレベータ号機の乗車状態と待機中の前記乗継ぎ先側のエレベータ号機の乗車状態とを比較し、当該乗継ぎ要求元となる他のエレベータ号機の乗客の積残しが発生すると予測される場合、前記乗継ぎ制御手段に乗継ぎ先側のエレベータ号機の追加割当てを指示する追加割当て要否判定手段とを備えたものである。
【００２４】
請求項４の発明のエレベータの群管理制御装置では、乗継ぎ要求操作手段による乗継ぎ要求元のエレベータ号機が複数台ある場合、乗継ぎ制御手段が乗継ぎ要求元の１のエレベータ号機に対して適切な乗継ぎ先側のエレベータ号機として当該乗継ぎ階に最先に到着するエレベータ号機を決定して乗継ぎ階で待機するように割当て、さらに乗継ぎエレベータ調整手段が乗継ぎ要求元の１のエレベータ号機の乗継ぎ階への到着後、乗継ぎ要求元となる他のエレベータ号機が到着するまで乗継ぎ要求先側のエレベータ号機を当該乗継ぎ階に戸開状態で待機させるが、当該乗継ぎ要求元となる他のエレベータ号機が乗継ぎ階に到着する前にその乗車状態を待機中の乗継ぎ先側のエレベータ号機の乗車状態と比較し、乗継ぎ要求元となる他のエレベータ号機の乗客の積残しが発生すると予測される場合、追加割当て要否判定手段が乗継ぎ制御手段に乗継ぎ先側のエレベータ号機の追加割当てを指示する。
【００２５】
これによって、乗継ぎ要求元となるエレベータの複数台が短い時間のうちに乗継ぎ階に続けて到着する場合に、後から到着した乗継ぎ要求元のエレベータから降りた乗継ぎ客が全員、待機中の乗継ぎ先側のエレベータに乗込めなくても、後からすぐに到着する別の乗継ぎ先側のエレベータに乗継ぐことができ、乗継ぎ客を長待ちさせず、サービスの向上を図る。
【００２６】
【発明の実施の形態】
以下、本発明の実施の形態を図に基づいて詳説する。図１は本発明の第１の実施の形態のエレベータの群管理制御装置のシステム構成を示している。例えば、１階を基準階として、１階〜２０階を低層階とし、２０階〜４０階を高層階とし、低層用群管理制御装置１は低層階の各階、あるいはそのうちの特定階を停止階として複数台の低層用エレベータを就役させ、また高層用群管理制御装置２は基準階である１階と乗継ぎ階である２０階、そして２０階〜４０階の高層階の各階、あるいはそのうちの特定階を停止階として複数台の高層用エレベータを就役させ、その運行制御を行う。
【００２７】
すなわち、低層用群管理制御装置１は、低層階のいずれかの階にホール呼びが発生すれば、低層用エレベータ各々の運行状況に基づき、ホール呼びに応答するのに最適なエレベータ号機を選択し、ホール呼びに応答するように割当てる群管理制御を実行する。同様に、高層用群管理制御装置２は、高層階のいずれかの階にホール呼びが発生すれば、高層用エレベータ各々の運行状況に基づき、ホール呼びに応答するのに最適なエレベータ号機を選択し、ホール呼びに応答するように割当てる群管理制御を実行する。また低層用群管理制御装置１、高層用群管理制御装置２それぞれは本発明の特徴である乗継ぎ制御機能も併せて備えており、乗継ぎ階での待ち時間を解消する目的で、低層階から高層階への乗継ぎ、また高層階から低層階への乗継ぎの要求を発生させるための乗継ぎ要求ボタン３，４が各エレベータ号機又は各エレベータホールの少なくとも一方に設置されていて、この乗継ぎ要求ボタン３，４の操作があれば群管理制御装置１，２がその信号を受信するようになっている。
【００２８】
低層用群管理制御装置１と高層用群管理制御装置２との間で相互に信号伝送を行うために伝送装置５，６がこれらに接続されており、また低層用エレベータの各号機、高層用エレベータの各号機の乗車状態として荷重を検出するためにそれらの各号機に設置されている荷重検出装置７，８が接続され、さらに後述する乗継ぎ制御のために乗継ぎ要求元のエレベータ号機の荷重と乗継ぎ先側のエレベータ号機の荷重とを比較する荷重比較装置９，１０も備えられている。なお、荷重比較装置９，１０は各群管理制御装置１，２にプログラムとして組込まれるものであるが、ここでは説明のためにブロックで示している。
【００２９】
次に、上記の構成のエレベータの群管理制御装置の乗継ぎ制御について説明する。なお、説明を簡明にするために低層用エレベータから２０階の乗継ぎ階で高層用エレベータに乗継ぐ場合の乗継ぎ制御について説明する。ただし、本発明の乗継ぎ制御は、高層用エレベータから乗継ぎ階で低層用エレベータに乗継ぐ場合の乗継ぎ制御についても同様に適用される。この点は、第２の実施の形態以降でも同様である。
【００３０】
図２に模式的に示したように、低層用群管理制御装置１は低層用エレベータＡ号機とＤ号機の運行の群管理制御を実行し、高層用群管理制御装置２は高層用エレベータＢ号機とＣ号機の運行の群管理制御を実行し、またこれらの群管理制御装置１，２は乗継ぎ階１１でエレベータ利用者が低層用エレベータから高層用エレベータに待ち時間なしで乗継げるように乗継ぎ制御も行う。
【００３１】
いま低層階で乗継ぎ要求ボタン３が押された場合、低層用群管理制御装置１はその乗継ぎ要求を受けて伝送装置５，６を通じて高層用群管理制御装置２に乗継ぎ要求発生を知らせ、高層用群管理制御装置２は上昇方向で乗継ぎ階へ最先に到着できる高層用エレベータ号機を選択して乗継ぎ待機を割当てる。ここでは、最初に高層用エレベータＢ号機が乗継ぎ先側のエレベータとして割当てられたものとする。そして、図３のフローチャートに示した乗継ぎ制御を開始する。
【００３２】
まず、低層用エレベータＡ号機が乗継ぎ階１１に近づいて減速を開始すると（ステップＳ１１）、当該Ａ号機の荷重検出装置７によって荷重検出を行い、その信号を低層用群管理制御装置１から伝送装置５，６を通じて高層用群管理制御装置２に伝送する（ステップＳ１２，Ｓ１３）。
【００３３】
高層用群管理制御装置２側では、最初に乗継ぎ先側のエレベータとして割当てを受けたＢ号機の荷重検出装置８により荷重を検出し、荷重比較装置１０においてＡ号機の荷重とＢ号機の荷重とを比較し（ステップＳ１４，Ｓ１５）、低層用エレベータ号機Ａの乗客が高層用エレベータ号機Ｂに全員乗込むことができるかどうか判断して、乗込めない場合には高層用群管理制御装置２に対して荷重のより小さい、したがってより大勢の乗客が乗込めるエレベータ号機を割当てるように号機変更要求を出力する（ステップＳ１６）。
【００３４】
これを受けて、高層用群管理制御装置２は、高層用エレベータの各号機の運行状態を見て最適なエレベータ号機、ここではＣ号機を乗継ぎ先側のエレベータとして割当て、乗継ぎ階１１に停止するように応答させる（ステップＳ１７）。
【００３５】
こうして、上記の第１の実施の形態のエレベータの群管理制御装置では、乗継ぎ要求元のエレベータ号機の乗継ぎ客の荷重に合わせて乗継ぎ先側のエレベータ号機の割当て変更を行うので、乗継ぎ客が多い場合でもすべての乗継ぎ客が１台の乗継ぎ先側のエレベータに乗込むことができ、一部の乗継ぎ客が積み残されて次のエレベータの到着まで待たされるという不公平が発生せず、均等な乗継ぎサービスが行える。
【００３６】
なお、上記の実施の形態では低層用エレベータ、高層用エレベータの号機数が２台ずつにして説明したが、通常はさらに多数台のエレベータが低層用、高層用それぞれに設置されるものであり、特にその設置台数が限定されることはない。また上記の実施の形態では、低層用エレベータから高層用エレベータへの乗継ぎ制御について説明したが、これとは逆に高層用エレベータから低層用エレベータへの乗継ぎ制御に対しても低層側と高層側とが反対になるだけで、制御手順は同様である。また、これは第２の実施の形態以降についても同様に当てはまるものである。
【００３７】
次に、本発明の第２の実施の形態のエレベータの群管理制御装置を、図１、図２及び図４に基づいて説明する。第２の実施の形態は、システム構成は図１に示した第１の実施の形態と共通するが、乗継ぎ制御機能において、荷重比較装置９，１０それぞれが乗継ぎ要求元のエレベータ号機の荷重と乗継ぎ先側の割当てを受けたエレベータ号機の荷重とを比較し、乗継ぎ客の全員が乗継ぎできないと判断した場合に、乗継ぎ先側のエレベータの追加割当て要求を行う点に特徴がある。
【００３８】
以下、第１の実施の形態の説明にも用いた図２の模式図と、新たな図４のフローチャートに基づいて第２の実施の形態の乗継ぎ制御機能を説明する。低層階でＡ号機で乗継ぎ要求ボタン３が押された場合、低層用群管理制御装置１はその乗継ぎ要求を受けて伝送装置５，６を通じて高層用群管理制御装置２に乗継ぎ要求発生を知らせ、高層用群管理制御装置２は上昇方向で乗継ぎ階へ最先に到着できる高層用エレベータ号機であるＢ号機を選択して乗継ぎ待機を割当てる。そして、図４のフローチャートに示した乗継ぎ制御を開始する。
【００３９】
図３のフローチャートに示した第１の実施の形態のステップＳ１１〜Ｓ１６と同様の手順で、低層用エレベータＡ号機が減速を開始すると（ステップＳ２１）、当該Ａ号機の荷重検出を行い、伝送装置５，６を通じて高層用群管理制御装置２に伝送する（ステップＳ２２，Ｓ２３）。高層用群管理制御装置２側では、荷重比較装置１０においてＡ号機の荷重とＢ号機の荷重とを比較し（ステップＳ２４，Ｓ２５）、低層用エレベータ号機Ａの乗客が高層用エレベータ号機Ｂに全員乗込むことができるかどうか判断し（ステップＳ２６）、全員が乗込めないと判断した場合には、高層用群管理制御装置２に対して乗継ぎ先側エレベータとして追加の割当てを要求する。
【００４０】
これを受けて、高層用群管理制御装置２は、高層用エレベータの各号機の運行状態を見て最適なエレベータ号機、ここではＣ号機を乗継ぎ先側のエレベータとして追加で割当て、乗継ぎ階１１に停止するように応答させる（ステップＳ２７）。
【００４１】
こうして、上記の第２の実施の形態のエレベータの群管理制御装置では、乗継ぎ要求元のエレベータ号機の乗継ぎ客の荷重が大きい場合には、その乗継ぎ階への到着前に乗継ぎ先側のエレベータとして追加で割当てを行うので、乗継ぎ客が多い場合でも一部の乗継ぎ客が積み残されて乗継ぎ階で長待ちさせられるという不公平が発生せず、均等な乗継ぎサービスが行える。
【００４２】
なお、上記の第１、第２の実施の形態では荷重状態によってエレベータかごそれぞれの乗車状態を検出するようにしたが、これに限定されず、かご内の映像を撮影して画像処理によって乗車状態を検出する方式、赤外線センサによって検出する方式、その他、かご内の乗車状態を検出することができる手段であれば等しく採用することができる。これはまた、以下の実施の形態における荷重検出装置、荷重比較装置それぞれに当てはまるものでもある。
【００４３】
次に、本発明の第３の実施の形態のエレベータ群管理制御装置を、図２の模式図、図５の構成図及び図６のフローチャートに基づいて説明する。図５に示すように、第３の実施の形態のエレベータの群管理制御装置では、低層用群管理制御装置１が低層階の各階、あるいはそのうちの特定階を停止階として複数台の低層用エレベータを就役させ、また高層用群管理制御装置２が基準階と乗継ぎ階、そして高層階の各階、あるいはそのうちの特定階を停止階として複数台の高層用エレベータを就役させ、その運行制御を行う。これらの群管理制御機能は図１に示した第１の実施の形態と同様である。また低層用群管理制御装置１、高層用群管理制御装置２それぞれは、第１の実施の形態と同様に、低層階から高層階への乗継ぎ、また高層階から低層階への乗継ぎの要求を発生させるための乗継ぎ要求ボタン３，４と、信号伝送を行うための伝送装置５，６を備えている。
【００４４】
そして第３の実施の形態の特徴的な要素として、低層用エレベータの各号機、高層用エレベータの各号機の乗継ぎ階までの到着予測時間を算出する予測時間算出装置１３，１４を備えている。なお、この予測時間算出装置１３，１４は各群管理制御装置１，２にプログラムとして組込まれるものであるが、ここでは説明のためにブロックで示している。
【００４５】
次に、上記の構成の第３の実施の形態のエレベータの群管理制御装置の乗継ぎ制御を図２の模式図及び図６のフローチャートを用いて説明する。図２に示したように、第３の実施の形態でも第１の実施の形態と同様に、低層用群管理制御装置１は低層用エレベータＡ号機とＤ号機の運行の群管理制御を実行し、高層用群管理制御装置２は高層用エレベータＢ号機とＣ号機の運行の群管理制御を実行し、またこれらの群管理制御装置１，２は乗継ぎ階１１でエレベータ利用者が低層用エレベータから高層用エレベータに待ち時間なしで乗継げるように乗継ぎ制御も行う。
【００４６】
いま低層階で乗継ぎ要求ボタン３が押された場合、低層用群管理制御装置１はその乗継ぎ要求を受けて伝送装置５，６を通じて高層用群管理制御装置２に乗継ぎ要求発生を知らせ、高層用群管理制御装置２は上昇方向で乗継ぎ階へ最先に到着できる高層用エレベータ号機を選択して乗継ぎ待機を割当てる。ここでは、最初に高層用エレベータＢ号機が乗継ぎ先側のエレベータとして割当てられたものとする。そして、図６のフローチャートに示した乗継ぎ制御を開始する。
【００４７】
まず、低層側の予測時間算出装置１３が乗継ぎ要求元のエレベータＡ号機について乗継ぎ階１１に到着するまでにかかる時間の予測演算を行い、その予測時間Ｔａを低層用群管理制御装置１が伝送装置５，６を通じて高層用群管理制御装置２に伝送する。またこれと並行して高層側の予測時間算出装置１４が乗継ぎ先側のエレベータ号機として割当てられたＢ号機について乗継ぎ階１１に到着するまでにかかる時間Ｔｂの予測演算を行い、高層用群管理制御装置２に渡す（ステップＳ３１）。
【００４８】
次に、高層用群管理制御装置２は乗継ぎ要求元のＡ号機の到着予測時間Ｔａと乗継ぎ先側として割当てを受けたＢ号機の到着予測時間Ｔｂとを比較し、乗継ぎ要求元のＡ号機の方が乗継ぎ先側のＢ号機よりも先に到着するならばＢ号機の割当てを維持する（ステップＳ３２）。
【００４９】
しかしながら、乗継ぎ要求元のＡ号機よりも乗継ぎ先側として割当てを受けたＢ号機の方があらかじめ設定されている一定時間τ以上先に到着すると予測される場合にはこのＢ号機は乗継ぎ階１１で長待ちすることになるので、他の階でホール呼びして待っている利用者やかご内に既に乗っている乗客がいるかどうかを他の階の呼びがすでに登録されているかどうかに基づいて判断し（ステップＳ３３，Ｓ３４）、他の階の呼び登録があれば他の利用者に長待ちさせないために、Ｂ号機に対する乗継ぎ先側のエレベータとしての割当てをキャンセルする（ステップＳ３５）。
【００５０】
そして高層用群管理制御装置２は、高層用エレベータの各号機の運行状態を見て最適なエレベータ号機、ここではＣ号機を乗継ぎ先側のエレベータとして割当て、乗継ぎ階１１に停止するように応答させる（ステップＳ３６）。
【００５１】
こうして、上記の第３の実施の形態のエレベータの群管理制御装置では、最初に乗継ぎ先側のエレベータとして割当てを受けたエレベータ号機が乗継ぎ階で乗継ぎ要求元のエレベータが到着するまで長待ちすると予測される場合、その乗継ぎ先側のエレベータに他の階の呼びが登録されていれば別号機に乗継ぎ先側のエレベータの割当てを変更するようにしたので、最初に乗継ぎ先側として割当てを受けたエレベータ号機が乗継ぎ階で乗継ぎ要求元のエレベータが到着するまで長待ちして他の階でホール呼びして待っている利用者やかご内に既に乗っている乗客をいらだたせることがないように配慮することができ、乗継ぎ制御と共にエレベータシステム全体のサービス向上が図れる。
【００５２】
次に、本発明の第４の実施の形態のエレベータ群管理制御装置を、図２の模式図及び図７のフローチャートに基づいて説明する。この第４の実施の形態の構成要素は図５に示した第３の実施の形態と共通する。そして第４の実施の形態の特徴は、乗継ぎ制御において低層用群管理制御装置１、高層用群管理制御装置２が図７の示すフローチャートの処理を実行する点にある。
【００５３】
この第４の実施の形態の実行する乗継ぎ制御を、図２の模式図及び図７のフローチャートを用いて説明する。図２に示したように、第４の実施の形態でも上述した各実施の形態と同様に、低層用群管理制御装置１は低層用エレベータＡ号機とＤ号機の運行の群管理制御を実行し、高層用群管理制御装置２は高層用エレベータＢ号機とＣ号機の運行の群管理制御を実行し、またこれらの群管理制御装置１，２は乗継ぎ階１１でエレベータ利用者が低層用エレベータから高層用エレベータに待ち時間なしで乗継げるように乗継ぎ制御も行う。
【００５４】
この乗継ぎ制御では、低層階でＡ号機から乗継ぎ要求ボタン３が押された場合、低層用群管理制御装置１はその乗継ぎ要求を受けて伝送装置５，６を通じて高層用群管理制御装置２に乗継ぎ要求発生を知らせ、高層用群管理制御装置２は上昇方向で乗継ぎ階へ最先に到着できる高層用エレベータ号機を選択して乗継ぎ待機を割当てる。ここでは、最初に高層用エレベータＢ号機が乗継ぎ先側のエレベータとして割当てられたものとする。
【００５５】
これによって、高層用群管理制御装置２は乗継ぎ先側として割当てたＢ号機を乗継ぎ階１１に向かわせ、Ａ号機よりも先着であればＡ号機の到着まで待機させる。そして乗継ぎが完了すれば、呼び登録に向けて発車する。しかしながら、Ａ号機からの乗継ぎ要求と前後して、別のＤ号機から乗継ぎ要求が発生すれば、図７のフローチャートの処理によって後続の乗継ぎ要求元のエレベータに対して乗継ぎ制御を行う。
【００５６】
すなわち、先に乗継ぎ要求を出した低層用エレベータ号機Ａとこれに対して乗継ぎ先側エレベータとして割当てられた高層用エレベータ号機Ｂとが共に乗継ぎ階１１に到着すれば（ステップＳ４１）、低層側の予測時間算出装置１３が後発の乗継ぎ要求元のエレベータＤ号機について乗継ぎ階１１に到着するまでにかかる時間の予測演算を行い、その予測時間Ｔｄを低層用群管理制御装置１が伝送装置５，６を通じて高層用群管理制御装置２に伝送する（ステップＳ４２）。
【００５７】
これを受け取った高層用群管理制御装置２は、後発の乗継ぎ要求元のＤ号機の到着予測時間Ｔｄがあらかじめ設定されている一定時間よりも短いかどうか、すなわち、乗継ぎ先側のＢ号機の待機時間をそれほど延長せずにＤ号機からの乗継ぎも可能であるかどうか判断し（ステップＳ４３）、長待ちにならないと判断すれば、乗継ぎ先側のＢ号機に後発の乗継ぎ要求元のエレベータ号機Ｄの到着まで待機させる（ステップＳ４４）。
【００５８】
なお、後発の乗継ぎ要求元のエレベータ号機の到着予測時間が長い場合には図７のフローチャートの処理を抜けて、従来と同様、あるいは本発明の他の実施の形態に基づく、新たな乗継ぎ要求発生時の乗継ぎ制御を行うことになる。すなわち、この第４の実施の形態では、最初の乗継ぎ要求発生に対する乗継ぎ先側のエレベータ号機の応答割当て処理については、特に第３の実施の形態の処理を適用するとは限らないのであり、相前後して乗継ぎ要求が別々のエレベータ号機から発生し、先発の乗継ぎ要求元のエレベータ号機とそれに対して乗継ぎ先側として割当てられたエレベータ号機とが共に乗継ぎ階に到着して乗継ぎ中であり、かつ後発の乗継ぎ要求元のエレベータ号機が一定時間内に乗継ぎ階に到着すると予測される場合に限って、図７のフローチャートに示す制御処理により乗継ぎ先側のエレベータ号機を延長待機させることを特徴とするのである。
【００５９】
こうして、上記の第４の実施の形態のエレベータの群管理制御装置では、相前後して乗継ぎ要求が別々のエレベータ号機から発生し、先発の乗継ぎ要求元のエレベータ号機とそれに対して乗継ぎ先側として割当てられたエレベータ号機とが共に乗継ぎ階に到着して乗継ぎ中であり、かつ後発の乗継ぎ要求元のエレベータ号機が一定時間内に乗継ぎ階に到着すると予測される場合には乗継ぎ先側のエレベータ号機を後発の乗継ぎ要求元のエレベータ号機の到着まで延長待機させるようにしたので、先発の乗継ぎ要求元のエレベータの乗継ぎ客にそれほど長待ちさせることはなく、しかも後発の乗継ぎ要求元のエレベータの乗継ぎ客を待たせることなく乗継ぎ先側のエレベータに乗継がせることができ、サービスの向上が図れる。
【００６０】
次に、本発明の第５の実施の形態のエレベータの群管理制御装置を、図２の模式図、図８の構成図及び図９のフローチャートに基づいて説明する。図８に示すように、第５の実施の形態のエレベータの群管理制御装置では、低層用群管理制御装置１が低層階の各階、あるいはそのうちの特定階を停止階として複数台の低層用エレベータを就役させ、また高層用群管理制御装置２が基準階と乗継ぎ階、そして高層階の各階、あるいはそのうちの特定階を停止階として複数台の高層用エレベータを就役させ、その運行制御を行う。これらの群管理制御機能は図１に示した第１の実施の形態と同様である。また低層用群管理制御装置１、高層用群管理制御装置２それぞれは、第１の実施の形態と同様に、低層階から高層階への乗継ぎ、また高層階から低層階への乗継ぎの要求を発生させるための乗継ぎ要求ボタン３，４と、信号伝送を行うための伝送装置５，６を備えている。
【００６１】
そして第５の実施の形態の特徴的な要素として、低層用エレベータの各号機、高層用エレベータの各号機の乗継ぎ階での待機時間を測定する到着経過時間測定装置１５，１６を備えている。
【００６２】
次に、上記の構成の第５の実施の形態のエレベータの群管理制御装置の乗継ぎ制御を図２の模式図及び図９のフローチャートを用いて説明する。図２に示したように、第５の実施の形態でも上述した他の実施の形態と同様に、低層用群管理制御装置１は低層用エレベータＡ号機とＤ号機の運行の群管理制御を実行し、高層用群管理制御装置２は高層用エレベータＢ号機とＣ号機の運行の群管理制御を実行し、またこれらの群管理制御装置１，２は乗継ぎ階１１でエレベータ利用者が低層用エレベータから高層用エレベータに待ち時間なしで乗継げるように乗継ぎ制御も行う。
【００６３】
いま低層階で乗継ぎ要求ボタン３が押された場合、低層用群管理制御装置１はその乗継ぎ要求を受けて伝送装置５，６を通じて高層用群管理制御装置２に乗継ぎ要求発生を知らせ、高層用群管理制御装置２は上昇方向で乗継ぎ階へ最先に到着できる高層用エレベータ号機を選択して乗継ぎ待機を割当てる。ここでは、最初に高層用エレベータＢ号機が乗継ぎ先側のエレベータとして割当てられたものとする。そして、図９のフローチャートに示した乗継ぎ制御を開始する。
【００６４】
乗継ぎ要求元のエレベータＡ号機が乗継ぎ階１１に先着した場合にはこの図９のフローチャートの処理を行う必要はなく、Ｂ号機が到着するのを待って乗継ぎ客はそのＢ号機に乗り換える。
【００６５】
反対に乗継ぎ先側のエレベータとして割当てを受けたＢ号機が乗継ぎ階１１に先着した場合、到着して戸開してから高層側の到着経過時間測定装置１６が到着後の経過時間の計測を開始し（ステップＳ５１）、あらかじめ設定した一定時間が経過しても乗継ぎ要求元のＡ号機が乗継ぎ階１１に到着しなければ長待ちすることになるので、他の階でホール呼びして待っている利用者やかご内に既に乗っている乗客がいるかどうかを他の階の呼びがすでに登録されているかどうかに基づいて判断し（ステップＳ５２〜Ｓ５４）、他の階の呼び登録があればそのような利用者に長待ちさせることがないように、Ｂ号機をＡ号機の到着を待たずに発車させる（ステップＳ５５）。
【００６６】
そして高層用群管理制御装置２は、高層用エレベータの各号機の運行状態を見て最適なエレベータ号機、ここではＣ号機を乗継ぎ先側のエレベータとして割当て、乗継ぎ階１１に停止するように応答させる（ステップＳ５６）。
【００６７】
こうして、上記の第５の実施の形態のエレベータの群管理制御装置では、最初に乗継ぎ先側のエレベータとして割当てを受けたエレベータ号機が乗継ぎ階で一定時間以上待機しても乗継ぎ要求元のエレベータが到着しない場合、その乗継ぎ先側のエレベータに他の階の呼びが登録されていれば別号機に乗継ぎ先側のエレベータの割当てを変更するようにしたので、最初に乗継ぎ先側として割当てを受けたエレベータ号機が乗継ぎ階で乗継ぎ要求元のエレベータが到着するまで長待ちして他の階でホール呼びして待っている利用者やかご内に既に乗っている乗客をいらだたせることがないように配慮することができ、乗継ぎ制御と共にエレベータシステム全体のサービス向上が図れる。
【００６８】
次に、本発明の第６の実施の形態のエレベータの群管理制御装置を、図２の模式図、図１０の構成図及び図１１のフローチャートに基づいて説明する。第６の実施の形態のエレベータの群管理制御装置は、第４の実施の形態に対して機能アップさせたもので、同じ低層側の別個のエレベータから相前後して、あるいは同じ高層側の別個のエレベータから相前後して乗継ぎ要求が発生し、先発の乗継ぎ要求に対して乗継ぎ先側の割当てを受けたエレベータと先発の乗継ぎ要求元のエレベータとが共に乗継ぎ階に到着して乗継ぎ中であり、かつ後発の乗継ぎ要求元のエレベータ号機が一定時間内に乗継ぎ階に到着すると予測される場合に、乗継ぎ先側のエレベータ号機の荷重と後発の乗継ぎ要求元のエレベータ号機の荷重とを比較し、乗継ぎ客を全員受け入れることができるかどうかを判断し、受け入れられない場合には乗継ぎ先側エレベータとして別号機のエレベータを後発の乗継ぎ要求元のエレベータに対して割当てることを特徴とする。
【００６９】
そこで第６の実施の形態のエレベータの群管理制御装置は、図１に示した第１の実施の形態と同様の低層用群管理制御装置１、高層用群管理制御装置２、乗継ぎ要求ボタン３，４、伝送装置５，６、荷重検出装置７，８及び荷重比較装置９，１０を備え、さらに、図５に示した第３の実施の形態と同様の予測時間算出装置１３，１４を備えている。
【００７０】
次に、この第６の実施の形態のエレベータの群管理制御装置による乗継ぎ制御動作を図１２の模式図及び図１１のフローチャートを用いて説明する。低層階でＡ号機から乗継ぎ要求ボタン３が押された場合、低層用群管理制御装置１はその乗継ぎ要求を受けて伝送装置５，６を通じて高層用群管理制御装置２に乗継ぎ要求発生を知らせ、高層用群管理制御装置２は上昇方向で乗継ぎ階へ最先に到着できる高層用エレベータ号機を選択して乗継ぎ待機を割当てる。ここでは、最初に高層用エレベータＢ号機が乗継ぎ先側のエレベータとして割当てられたものとする。
【００７１】
これによって、高層用群管理制御装置２は乗継ぎ先側として割当てたＢ号機を乗継ぎ階１１に向かわせ、Ａ号機よりも先着であればＡ号機の到着まで待機させる。そして乗継ぎが完了すれば、呼び登録に向けて発車する。しかしながら、Ａ号機からの乗継ぎ要求と前後して、別のＤ号機から乗継ぎ要求が発生すれば、次の図１１のフローチャートの処理によって後続の乗継ぎ要求元のエレベータに対して乗継ぎ制御を行う。
【００７２】
すなわち、先に乗継ぎ要求を出した低層用エレベータ号機Ａとこれに対して乗継ぎ先側エレベータに割当てられた高層用エレベータ号機Ｂとが共に乗継ぎ階１１に到着すれば（ステップＳ６１）、低層側の予測時間算出装置１３が後発の乗継ぎ要求元のエレベータＤ号機について乗継ぎ階１１に到着するまでにかかる時間の予測演算を行い、その予測時間Ｔｄを低層用群管理制御装置１が伝送装置５，６を通じて高層用群管理制御装置２に伝送する（ステップＳ６２）。
【００７３】
これを受け取った高層用群管理制御装置２は、後発の乗継ぎ要求元のＤ号機の到着予測時間Ｔｄがあらかじめ設定されている一定時間よりも短いかどうか、すなわち、乗継ぎ先側のＢ号機の待機時間をそれほど延長せずにＤ号機からの乗継ぎも可能であるかどうか判断し（ステップＳ６３）、次に、Ｄ号機の乗継ぎ客が全員、乗継ぎ先側のＢ号機に乗り切れるかどうかを判断するために、荷重比較装置１０においてＤ号機の荷重検出装置７から荷重信号を受け、またＢ号機の荷重検出装置８からも荷重信号を受け（ステップＳ６４）、それらの荷重を比較して、Ｄ号機の乗継ぎ客が全員、乗継ぎ先側のＢ号機に乗り切れるかどうかを判断する（ステップＳ６５）。
【００７４】
ここで、乗継ぎ先側のＢ号機が後発の乗継ぎ要求元のＤ号機の到着を待っても長待ちにならず、かつＤ号機の乗継ぎ客を全員乗継がせることができると判断すれば、乗継ぎ先側のＢ号機に後発の乗継ぎ要求元のエレベータ号機Ｄの到着まで待機させる（ステップＳ６５でＹＥＳに分岐）。
【００７５】
しかしながら、乗継ぎ先側のＢ号機が後発の乗継ぎ要求元のＤ号機の到着を待っても長待ちにならないとしても、Ｄ号機の乗継ぎ客を全員乗継がせることができないと判断すれば、乗継ぎ先側のＢ号機には出発させ、後発の乗継ぎ要求元のエレベータ号機Ｄに対する乗継ぎのために、乗継ぎ先側として別のエレベータ号機、ここではＣ号機を割当てる（ステップＳ６６）。
【００７６】
なお、後発の乗継ぎ要求元のエレベータ号機の到着予測時間が長い場合には図１１のフローチャートの処理を抜けて、従来と同様、あるいは本発明の他の実施の形態に基づく、新たな乗継ぎ要求発生時の乗継ぎ制御を行うことになる。すなわち、この第６の実施の形態でも、第４の実施の形態の場合と同様に、相前後して乗継ぎ要求が別々のエレベータ号機から発生し、先発の乗継ぎ要求元のエレベータ号機とそれに対して乗継ぎ先側として割当てられたエレベータ号機とが共に乗継ぎ階に到着して乗継ぎ中であり、後発の乗継ぎ要求元のエレベータ号機が一定時間内に乗継ぎ階に到着すると予測され、かつ後発の乗継ぎ要求元のエレベータ号機の乗継ぎ客が全員乗継ぎできると判断された場合に限って、図１１のフローチャートに示す制御処理により乗継ぎ先側のエレベータ号機を延長待機させることを特徴とするのである。
【００７７】
こうして、上記の第６の実施の形態のエレベータの群管理制御装置では、相前後して乗継ぎ要求が別々のエレベータ号機から発生し、先発の乗継ぎ要求元のエレベータ号機とそれに対して乗継ぎ先側として割当てられたエレベータ号機とが共に乗継ぎ階に到着して乗継ぎ中であり、後発の乗継ぎ要求元のエレベータ号機が一定時間内に乗継ぎ階に到着すると予測され、かつ後発の乗継ぎ要求元のエレベータ号機の乗継ぎ客が全員乗継ぎできると判断された場合には乗継ぎ先側のエレベータ号機を後発の乗継ぎ要求元のエレベータ号機の到着まで延長待機させるようにしたので、先発の乗継ぎ要求元のエレベータの乗継ぎ客にそれほど長待ちさせることはなく、しかも後発の乗継ぎ要求元のエレベータの乗継ぎ客を待たせることなく乗継ぎ先側のエレベータに乗継ぎさせることができ、サービスの向上が図れる。
【００８０】
【発明の効果】
請求項１の発明によれば、乗継ぎ要求元のエレベータ号機に対して、乗継ぎ階で待機させるのに適切な乗継ぎ先側のエレベータ号機として当該乗継ぎ階に最先に到着するエレベータ号機を決定して待機するように割当てるが、乗継ぎ要求元のエレベータ号機の乗継ぎ階までの到着時間を予測し、また乗継ぎ先側として決定されたエレベータ号機の乗継ぎ階での待機時間も予測し、当該予測待機時間が所定時間以上であり、かつ他の階の呼び登録がある場合には、当該乗継ぎ先側のエレベータ号機の決定をキャンセルして別のエレベータ号機を乗継ぎ先側のエレベータ号機として改めに割当てるので、最初に割当てられた乗継ぎ先側のエレベータが乗継ぎ階で長待ちして他の階でホール呼びして待っている利用者やかご内に既に乗っている乗客をイライラさせる事態が発生するのを未然に防止し、サービスの向上を図ることができる。
【００８１】
請求項２の発明によれば、乗継ぎ要求元のエレベータ号機に対して、乗継ぎ階で待機させるのに適切な乗継ぎ先側のエレベータ号機として当該乗継ぎ階に最先に到着するエレベータ号機を決定して待機するように割当てるが、乗継ぎ先側のエレベータ号機の乗継ぎ階での実際の待機時間を計測し、それが所定時間以上経過しても乗継ぎ要求元のエレベータ号機が乗継ぎ階に到着せず、かつ他の階の呼び登録がある場合には、当該乗継ぎ先側のエレベータ号機の決定をキャンセルして別のエレベータ号機を乗継ぎ先側のエレベータ号機として改めに割当てさせるので、最初に割当てられた乗継ぎ先側のエレベータが乗継ぎ階で長待ちして他の階でホール呼びして待っている利用者やかご内に既に乗っている乗客をイライラさせる事態が発生するのを防止し、サービスの向上を図ることができる。
【００８２】
請求項３の発明によれば、乗継ぎ要求元のエレベータ号機が複数台ある場合、乗継ぎ要求元の１のエレベータ号機に対して適切な乗継ぎ先側のエレベータ号機として当該乗継ぎ階に最先に到着するエレベータ号機を決定して乗継ぎ階で待機するように割当てるが、乗継ぎ要求元の１のエレベータ号機の乗継ぎ階への到着後、乗継ぎ要求元となる他のエレベータ号機が当該乗継ぎ階に到着するまでに必要とされる待機時間を予測し、当該予測待機時間が所定時間以下である場合には、乗継ぎ先側のエレベータ号機を乗継ぎ要求元となる他のエレベータ号機の到着まで待機させるので、乗継ぎ要求元となるエレベータの複数台が短い時間のうちに乗継ぎ階に続けて到着する場合に、後から到着した乗継ぎ要求元のエレベータから降りた乗継ぎ客が乗継ぎしようとしたときに、先に到着した乗継ぎ要求元のエレベータの乗継ぎ客の乗継ぎ完了で乗継ぎ先側のエレベータが戸閉して発車してしまう事態が発生するのを防止し、サービスの向上を図ることができる。
【００８３】
請求項４の発明によれば、乗継ぎ要求元のエレベータ号機が複数台ある場合、乗継ぎ要求元の１のエレベータ号機に対して適切な乗継ぎ先側のエレベータ号機として当該乗継ぎ階に最先に到着するエレベータ号機を決定して乗継ぎ階で待機するように割当て、さらに乗継ぎ要求元の１のエレベータ号機の乗継ぎ階への到着後、乗継ぎ要求元となる他のエレベータ号機が到着するまで乗継ぎ要求先側のエレベータ号機を当該乗継ぎ階に戸開状態で待機させるが、当該乗継ぎ要求元となる他のエレベータ号機が乗継ぎ階に到着する前にその乗車状態を待機中の乗継ぎ先側のエレベータ号機の乗車状態と比較し、乗継ぎ要求元となる他のエレベータ号機の乗客の積残しが発生すると予測される場合には乗継ぎ先側のエレベータ号機の追加割当てを指示するので、乗継ぎ要求元となるエレベータの複数台が短い時間のうちに乗継ぎ階に続けて到着する場合に、後から到着した乗継ぎ要求元のエレベータから降りた乗継ぎ客が全員、待機中の乗継ぎ先側のエレベータに乗込めなくても、後からすぐに到着する別の乗継ぎ先側のエレベータに乗継ぐことができ、乗継ぎ客を長待ちさせず、サービスの向上を図ることができる。
【図面の簡単な説明】
【図１】本発明の第１の実施の形態の構成を示すブロック図。
【図２】上記の実施の形態の乗継ぎ制御の模式図。
【図３】上記の実施の形態の乗継ぎ制御のフローチャート。
【図４】本発明の第２の実施の形態の乗継ぎ制御のフローチャート。
【図５】本発明の第３の実施の形態の構成を示すブロック図。
【図６】上記の実施の形態の乗継ぎ制御のフローチャート。
【図７】本発明の第４の実施の形態の乗継ぎ制御のフローチャート。
【図８】本発明の第５の実施の形態の構成を示すブロック図。
【図９】上記の実施の形態の乗継ぎ制御のフローチャート。
【図１０】本発明の第６の実施の形態の構成を示すブロック図。
【図１１】上記の実施の形態の乗継ぎ制御のフローチャート。
【符号の説明】
１  低層用群管理制御装置
２  高層用群管理制御装置
３  乗継ぎ要求ボタン
４  乗継ぎ要求ボタン
５  伝送装置
６  伝送装置
７  荷重検出装置
８  荷重検出装置
９  荷重比較装置
１０  荷重比較装置
１１  乗継ぎ階
１３  予測時間算出装置
１４  予測時間算出装置
１５  到着経過時間測定装置
１６  到着経過時間測定装置
【図１】
0003962476.tif 000002
【図２】
0003962476.tif 000003
【図３】
0003962476.tif 000004
【図４】
0003962476.tif 000005
【図５】
0003962476.tif 000006
【図６】
0003962476.tif 000007
【図７】
0003962476.tif 000008
【図８】
0003962476.tif 000009
【図９】
0003962476.tif 000010
【図１０】
0003962476.tif 000011
【図１１】
0003962476.tif 000012